(57)【要約】【課題】身長制限が必要な施設利用の自動化が可能となり、かつ、閉じた空間での施設利用料金の精算処理を自動化することができ、利用者は退場時にまとめて精算が可能となる入退場等管理システムを提供する。【解決手段】遊園地への入場時に利用者の顔認証とともに身長推定を行ない、遊園地内の施設利用時に利用者の顔認証を行なうとともに、入場時に推定した身長による施設の利用制限を行なう。【選択図】    図１
2004348571.tif 000002
【特許請求の範囲】
【請求項１】
入場した利用者が利用する施設を有するエリアへの入退場や当該エリア内における施設利用の管理等を行なう入退場等管理システムにおいて、
エリアの入場部において当該エリアへ入場する利用者の身長を推定する身長推定手段と、
エリアの入場部において当該エリアへ入場する利用者の少なくとも顔画像を取得する第１の画像取得手段と、
前記身長推定手段により推定された身長および前記第１の画像取得手段により取得された顔画像を対応させて登録する登録手段と、
エリアへ入場した利用者が当該エリア内の施設を利用する際、当該利用者の少なくとも顔画像を取得する第２の画像取得手段と、
この第２の画像取得手段により取得された顔画像と前記登録手段に登録された顔画像とを照合する照合手段と、
この照合手段による照合の結果、両顔画像の一致が得られた場合、その一致が得られた顔画像と対応して前記登録手段に登録されている身長とあらかじめ設定された制限身長とを照合することにより条件を満足するか否かを判定する判定手段と、
この判定手段の判定結果に基づき当該施設の利用可否を決定する利用可否決定手段と、
を具備したことを特徴とする入退場等管理システム。
【請求項２】
入場した利用者が利用する施設を有するエリアへの入退場や当該エリア内における施設利用の管理等を行なう入退場等管理システムにおいて、
エリアの入場部において当該エリアへ入場する利用者の身長を推定する身長推定手段と、
エリアの入場部において当該エリアへ入場する利用者の少なくとも顔画像を取得する第１の画像取得手段と、
前記身長推定手段により推定された身長および前記第１の画像取得手段により取得された顔画像を対応させて登録する第１の登録手段と、
エリアへ入場した利用者が当該エリア内の施設を利用する際、当該利用者の少なくとも顔画像を取得する第２の画像取得手段と、
この第２の画像取得手段により取得された顔画像と前記第１の登録手段に登録された顔画像とを照合する第１の照合手段と、
この第１の照合手段による照合の結果、両顔画像の一致が得られた場合、その一致が得られた顔画像と対応して前記第１の登録手段に登録されている身長とあらかじめ設定された制限身長とを照合することにより条件を満足するか否かを判定する判定手段と、
この判定手段の判定結果に基づき当該施設の利用可否を決定する利用可否決定手段と、
この利用可否決定手段から施設利用可能の決定が得られた場合、当該施設名とその利用料金とを有する利用情報を登録する第２の登録手段と、
前記利用者が当該エリアから退場しようとする際、当該利用者の少なくとも顔画像を取得する第３の画像取得手段と、
この第３の画像取得手段により取得された顔画像と前記第１の登録手段に登録された顔画像とを照合する第２の照合手段と、
この第２の照合手段による照合の結果、両顔画像の一致が得られた場合、当該利用者が利用した施設の利用情報を前記第２の登録手段から取得し、この取得した利用情報に基づき施設利用料金の精算処理を行なう利用料金精算手段と、
を具備したことを特徴とする入退場等管理システム。
【請求項３】
入場した利用者が利用する施設を有するエリアへの入退場や当該エリア内における施設利用の管理等を行なう入退場等管理システムにおいて、
エリアの入場部において当該エリアへ入場する利用者の身長を推定する身長推定手段と、
エリアの入場部において当該エリアへ入場する利用者の少なくとも顔画像を取得する第１の画像取得手段と、
前記身長推定手段により推定された身長および前記第１の画像取得手段により取得された顔画像を対応させて登録する第１の登録手段と、
エリアへ入場した利用者が当該エリア内の施設を利用する際、当該利用者の少なくとも顔画像を取得する第２の画像取得手段と、
この第２の画像取得手段により取得された顔画像と前記第１の登録手段に登録された顔画像とを照合する第１の照合手段と、
この第１の照合手段による照合の結果、両顔画像の一致が得られた場合、その一致が得られた顔画像と対応して前記第１の登録手段に登録されている身長とあらかじめ設定された制限身長とを照合することにより条件を満足するか否かを判定する第１の判定手段と、
この第１の判定手段の判定結果に基づき当該施設の利用可否を決定する利用可否決定手段と、
この利用可否決定手段から施設利用可能の決定が得られた場合、当該施設名とその利用料金とからなる利用情報を登録する第２の登録手段と、
前記利用者が当該エリアから退場しようとする際、当該利用者の少なくとも顔画像を取得する第３の画像取得手段と、
この第３の画像取得手段により取得された顔画像と前記第１の登録手段に登録された顔画像とを照合する第２の照合手段と、
この第２の照合手段による照合の結果、両顔画像の一致が得られた場合、当該利用者が利用した施設の利用情報を前記第２の登録手段から取得し、この取得した利用情報に基づき施設利用料金の精算処理を行なう利用料金精算手段と、
エリアの退場部において当該エリアを退場する利用者の少なくとも顔画像を取得する第４の画像取得手段と、
この第４の画像取得手段により取得された顔画像と前記第１の登録手段に登録された顔画像とを照合する第３の照合手段と、
この第３の照合手段による照合の結果、両顔画像の一致が得られた場合、前記利用料金精算手段による当該利用者に対する施設利用料金の精算処理が終了しているか否かを判定する第２の判定手段と、
この第２の判定手段の判定結果に基づき当該エリアからの退場可否を決定する退場可否決定手段と、
を具備したことを特徴とする入退場等管理システム。
【請求項４】
入場した利用者が利用する施設を有するエリアへの入退場や当該エリア内における施設利用の管理等を行なう入退場等管理システムにおいて、
エリアの入場部において当該エリアへ入場する利用者の少なくとも顔画像を取得する第１の画像取得手段と、
この第１の画像取得手段により取得された顔画像を登録する登録手段と、
エリアへ入場した利用者が当該エリア内の施設を利用する際、当該利用者の身長を推定する身長推定手段と、
エリアへ入場した利用者が当該エリア内の施設を利用する際、当該利用者の少なくとも顔画像を取得する第２の画像取得手段と、
この第２の画像取得手段により取得された顔画像と前記登録手段に登録された顔画像とを照合する照合手段と、
この照合手段による照合の結果、両顔画像の一致が得られた場合、前記第２の身長推定手段により推定された身長とあらかじめ設定された制限身長とを照合することにより条件を満足するか否かを判定する判定手段と、
この判定手段の判定結果に基づき当該施設の利用可否を決定する利用可否決定手段と、
を具備したことを特徴とする入退場等管理システム。
【請求項５】
入場した利用者が利用する施設を有するエリアへの入退場や当該エリア内における施設利用の管理等を行なう入退場等管理システムにおいて、
エリアの入場部において当該エリアへ入場する利用者の身長を推定する第１の身長推定手段と、
エリアの入場部において当該エリアへ入場する利用者の少なくとも顔画像を取得する第１の画像取得手段と、
前記第１の身長推定手段により推定された身長および前記第１の画像取得手段により取得された顔画像を対応させて登録する登録手段と、
エリアへ入場した利用者が当該エリア内の施設を利用する際、当該利用者の身長を推定する第２の身長推定手段と、
エリアへ入場した利用者が当該エリア内の施設を利用する際、当該利用者の少なくとも顔画像を取得する第２の画像取得手段と、
この第２の画像取得手段により取得された顔画像と前記登録手段に登録された顔画像とを照合する第１の照合手段と、
この第１の照合手段による照合の結果、両顔画像の一致が得られた場合、その一致が得られた顔画像と対応して前記登録手段に登録されている身長と前記第２の身長推定手段により推定された身長とを照合する第２の照合手段と、
この第２の照合手段による照合の結果、両身長の一致が得られた場合、当該身長とあらかじめ設定された制限身長とを照合することにより条件を満足するか否かを判定する判定手段と、
この判定手段の判定結果に基づき当該施設の利用可否を決定する利用可否決定手段と、
を具備したことを特徴とする入退場等管理システム。
【請求項６】
入場した利用者が利用する施設を有するエリアへの入退場や当該エリア内における施設利用の管理等を行なう入退場等管理システムにおいて、
エリアの入場部において当該エリアへ入場する利用者の身長を推定する第１の身長推定手段と、
エリアの入場部において当該エリアへ入場する利用者の少なくとも顔画像を取得する第１の画像取得手段と、
前記第１の身長推定手段により推定された身長および前記第１の画像取得手段により取得された顔画像を対応させて登録する第１の登録手段と、
エリアへ入場した利用者が当該エリア内の施設を利用する際、当該利用者の少なくとも顔画像を取得する第２の画像取得手段と、
この第２の画像取得手段により取得された顔画像と前記第１の登録手段に登録された顔画像とを照合する第１の照合手段と、
この第１の照合手段による照合の結果、両顔画像の一致が得られた場合、その一致が得られた顔画像と対応して前記第１の登録手段に登録されている身長とあらかじめ設定された制限身長とを照合することにより条件を満足するか否かを判定する判定手段と、
この判定手段の判定結果に基づき当該施設の利用可否を決定する利用可否決定手段と、
この利用可否決定手段から施設利用可能の決定が得られた場合、当該施設名とその利用料金とを有する利用情報を登録する第２の登録手段と、
前記利用者が当該エリアから退場しようとする際、当該利用者の身長を推定する第２の身長推定手段と、
前記利用者が当該エリアから退場しようとする際、当該利用者の少なくとも顔画像を取得する第３の画像取得手段と、
この第３の画像取得手段により取得された顔画像と前記第１の登録手段に登録された顔画像とを照合する第２の照合手段と、
この第２の照合手段による照合の結果、両顔画像の一致が得られた場合、その一致が得られた顔画像と対応して前記第１の登録手段に登録されている身長と前記第２の身長推定手段により推定された身長とを照合する第３の照合手段と、
この第３の照合手段による照合の結果、両身長の一致が得られた場合、当該利用者が利用した施設の利用情報を前記第２の登録手段から取得し、この取得した利用情報に基づき施設利用料金の精算処理を行なう利用料金精算手段と、
を具備したことを特徴とする入退場等管理システム。
【請求項７】
入場した利用者が利用する施設を有するエリアへの入退場や当該エリア内における施設利用の管理等を行なう入退場等管理システムにおいて、
エリアの入場部において当該エリアへ入場する利用者の身長を推定する第１の身長推定手段と、
エリアの入場部において当該エリアへ入場する利用者の少なくとも顔画像を取得する第１の画像取得手段と、
前記第１の身長推定手段により推定された身長および前記第１の画像取得手段により取得された顔画像を対応させて登録する第１の登録手段と、
エリアへ入場した利用者が当該エリア内の施設を利用する際、当該利用者の少なくとも顔画像を取得する第２の画像取得手段と、
この第２の画像取得手段により取得された顔画像と前記第１の登録手段に登録された顔画像とを照合する第１の照合手段と、
この第１の照合手段による照合の結果、両顔画像の一致が得られた場合、その一致が得られた顔画像と対応して前記第１の登録手段に登録されている身長とあらかじめ設定された制限身長とを照合することにより条件を満足するか否かを判定する第１の判定手段と、
この第１の判定手段の判定結果に基づき当該施設の利用可否を決定する利用可否決定手段と、
この利用可否決定手段から施設利用可能の決定が得られた場合、当該施設名とその利用料金とを有する利用情報を登録する第２の登録手段と、
前記利用者が当該エリアから退場しようとする際、当該利用者の少なくとも顔画像を取得する第３の画像取得手段と、
この第３の画像取得手段により取得された顔画像と前記第１の登録手段に登録された顔画像とを照合する第２の照合手段と、
この第２の照合手段による照合の結果、両顔画像の一致が得られた場合、当該利用者が利用した施設の利用情報を前記第２の登録手段から取得し、この取得した利用情報に基づき施設利用料金の精算処理を行なう利用料金精算手段と、
エリアの退場部において当該エリアを退場する利用者の身長を推定する第２の身長推定手段と、
エリアの退場部において当該エリアを退場する利用者の少なくとも顔画像を取得する第４の画像取得手段と、
この第４の画像取得手段により取得された顔画像と前記第１の登録手段に登録された顔画像とを照合する第３の照合手段と、
この第３の照合手段による照合の結果、両顔画像の一致が得られた場合、その一致が得られた顔画像と対応して前記第１の登録手段に登録されている身長と前記第２の身長推定手段により推定された身長とを照合する第４の照合手段と、
この第４の照合手段による照合の結果、両身長の一致が得られた場合、前記利用料金精算手段による当該利用者に対する施設利用料金の精算処理が終了しているか否かを判定する第２の判定手段と、
この第２の判定手段の判定結果に基づき当該エリアからの退場可否を決定する退場可否決定手段と、
を具備したことを特徴とする入退場等管理システム。
【発明の詳細な説明】
【０００１】
【発明の属する技術分野】
本発明は、たとえば、入場した利用者が利用料金を支払って利用する身長制限のある遊戯施設を有する遊園地（エリア）への入退場や当該遊園地内における遊戯施設利用の管理等を行なう入退場等管理システムに関する。
【０００２】
【従来の技術】
たとえば、入場した利用者が利用料金を支払って利用する遊戯施設を有する遊園地にあっては、安全性の面等から、特定の遊戯施設（たとえば、ジェットコースタ等）に、利用条件として当該施設を利用する利用者の身長に制限が設けられている場合がある。その場合、従来は係員がその都度目視により利用者の身長を推定していた。
【０００３】
【発明が解決しようとする課題】
係員がその都度目視により利用者の身長を推定していたので、係員によって推定結果が異なる可能性があり、その場合、利用者との間でトラブルが発生する恐れがある。また、利用者の身長推定が必要な場面で必ず係員がチェックする必要がある。
【０００４】
そこで、本発明は、身長制限が必要な施設利用の自動化が可能となり、かつ、閉じた空間での施設利用料金の精算処理を自動化することができ、利用者は退場時にまとめて精算が可能となる入退場等管理システムを提供することを目的とする。
【０００５】
【課題を解決するための手段】
本発明の入退場等管理システムは、入場した利用者が利用する施設を有するエリアへの入退場や当該エリア内における施設利用の管理等を行なう入退場等管理システムにおいて、エリアの入場部において当該エリアへ入場する利用者の身長を推定する身長推定手段と、エリアの入場部において当該エリアへ入場する利用者の少なくとも顔画像を取得する第１の画像取得手段と、前記身長推定手段により推定された身長および前記第１の画像取得手段により取得された顔画像を対応させて登録する登録手段と、エリアへ入場した利用者が当該エリア内の施設を利用する際、当該利用者の少なくとも顔画像を取得する第２の画像取得手段と、この第２の画像取得手段により取得された顔画像と前記登録手段に登録された顔画像とを照合する照合手段と、この照合手段による照合の結果、両顔画像の一致が得られた場合、その一致が得られた顔画像と対応して前記登録手段に登録されている身長とあらかじめ設定された制限身長とを照合することにより条件を満足するか否かを判定する判定手段と、この判定手段の判定結果に基づき当該施設の利用可否を決定する利用可否決定手段とを具備している。
【０００６】
また、本発明の入退場等管理システムは、入場した利用者が利用する施設を有するエリアへの入退場や当該エリア内における施設利用の管理等を行なう入退場等管理システムにおいて、エリアの入場部において当該エリアへ入場する利用者の身長を推定する身長推定手段と、エリアの入場部において当該エリアへ入場する利用者の少なくとも顔画像を取得する第１の画像取得手段と、前記身長推定手段により推定された身長および前記第１の画像取得手段により取得された顔画像を対応させて登録する第１の登録手段と、エリアへ入場した利用者が当該エリア内の施設を利用する際、当該利用者の少なくとも顔画像を取得する第２の画像取得手段と、この第２の画像取得手段により取得された顔画像と前記第１の登録手段に登録された顔画像とを照合する第１の照合手段と、この第１の照合手段による照合の結果、両顔画像の一致が得られた場合、その一致が得られた顔画像と対応して前記第１の登録手段に登録されている身長とあらかじめ設定された制限身長とを照合することにより条件を満足するか否かを判定する判定手段と、この判定手段の判定結果に基づき当該施設の利用可否を決定する利用可否決定手段と、この利用可否決定手段から施設利用可能の決定が得られた場合、当該施設名とその利用料金とを有する利用情報を登録する第２の登録手段と、前記利用者が当該エリアから退場しようとする際、当該利用者の少なくとも顔画像を取得する第３の画像取得手段と、この第３の画像取得手段により取得された顔画像と前記第１の登録手段に登録された顔画像とを照合する第２の照合手段と、この第２の照合手段による照合の結果、両顔画像の一致が得られた場合、当該利用者が利用した施設の利用情報を前記第２の登録手段から取得し、この取得した利用情報に基づき施設利用料金の精算処理を行なう利用料金精算手段とを具備している。
【０００７】
さらに、本発明の入退場等管理システムは、入場した利用者が利用する施設を有するエリアへの入退場や当該エリア内における施設利用の管理等を行なう入退場等管理システムにおいて、エリアの入場部において当該エリアへ入場する利用者の身長を推定する身長推定手段と、エリアの入場部において当該エリアへ入場する利用者の少なくとも顔画像を取得する第１の画像取得手段と、前記身長推定手段により推定された身長および前記第１の画像取得手段により取得された顔画像を対応させて登録する第１の登録手段と、エリアへ入場した利用者が当該エリア内の施設を利用する際、当該利用者の少なくとも顔画像を取得する第２の画像取得手段と、この第２の画像取得手段により取得された顔画像と前記第１の登録手段に登録された顔画像とを照合する第１の照合手段と、この第１の照合手段による照合の結果、両顔画像の一致が得られた場合、その一致が得られた顔画像と対応して前記第１の登録手段に登録されている身長とあらかじめ設定された制限身長とを照合することにより条件を満足するか否かを判定する第１の判定手段と、この第１の判定手段の判定結果に基づき当該施設の利用可否を決定する利用可否決定手段と、この利用可否決定手段から施設利用可能の決定が得られた場合、当該施設名とその利用料金とを有する利用情報を登録する第２の登録手段と、前記利用者が当該エリアから退場しようとする際、当該利用者の少なくとも顔画像を取得する第３の画像取得手段と、この第３の画像取得手段により取得された顔画像と前記第１の登録手段に登録された顔画像とを照合する第２の照合手段と、この第２の照合手段による照合の結果、両顔画像の一致が得られた場合、当該利用者が利用した施設の利用情報を前記第２の登録手段から取得し、この取得した利用情報に基づき施設利用料金の精算処理を行なう利用料金精算手段と、エリアの退場部において当該エリアを退場する利用者の少なくとも顔画像を取得する第４の画像取得手段と、この第４の画像取得手段により取得された顔画像と前記第１の登録手段に登録された顔画像とを照合する第３の照合手段と、この第３の照合手段による照合の結果、両顔画像の一致が得られた場合、前記利用料金精算手段による当該利用者に対する施設利用料金の精算処理が終了しているか否かを判定する第２の判定手段と、この第２の判定手段の判定結果に基づき当該エリアからの退場可否を決定する退場可否決定手段とを具備している。
【０００８】
【発明の実施の形態】
以下、本発明の実施の形態について図面を参照して説明する。
図１は、本発明の実施の形態に係る入退場等管理システムの構成を概略的に示すものである。この入退場等管理システムは、たとえば、入場した利用者が所定の利用料金を支払って利用する身長制限のある遊戯施設を有する遊園地（エリア）への入退場や当該遊園地内における遊戯施設利用の管理等を行なうもので、遊園地の入場口（入場部）１１に設置された顔認証装置１２、遊園地内における各遊戯施設１３の入口部にそれぞれ設置された顔認証装置１４、遊園地内の精算口１５に設置された顔認証装置１６、遊園地の退場口（退場部）１７に設置された顔認証装置１８、遊園地の管理センタ１９に設置された管理サーバ２０、および、これら相互間を通信可能に接続するＬＡＮなどの通信回線２１から構成されている。
【０００９】
顔認証装置１２，１４，１６，１８は、利用者の顔認証処理および身長推定処理などを行なうもので、たとえば、図２に示すように、利用者の少なくとも顔を含む画像（以下、顔画像と称す）を取得する画像取得手段としてのビデオカメラ３１、ビデオカメラ３１の位置（設置高さ）を上下方向（利用者の身長方向）に調整（移動）する移動機構３２、移動機構３２を制御するカメラ位置制御部３３、ビデオカメラ３１からの画像情報を取込むビデオキャプチャボード３４、通信回線２１を介して管理サーバ２０と通信を行なう通信部３５、各種情報を記憶する記憶部３６、各種処理および制御を行なうＣＰＵ（セントラル・プロセッシング・ユニット）３７、各種情報を表示する表示部３８、各種情報を入力するキーボードなどの入力部３９、および、ハードディスク装置などの２次記憶装置４０などから構成されている。
【００１０】
次に、このような構成において、遊園地への入場時に利用者の身長推定を行ない、遊園地内の施設利用時に入場時推定した身長による施設の利用制限を行なう場合の動作を説明する。
【００１１】
まず、入場処理について図３に示すフローチャートを参照して説明する。
利用者は、遊園地への入場時、入場口１１に設置された顔認証装置１２で身長推定および顔認証を行なう。すなわち、利用者はカメラ３１の前に対峙することにより、顔画像を入力する（ステップＳ１）。この処理が本発明における第１の画像取得手段に対応している。カメラ３１で入力された顔画像はビデオキャプチャボード３４により取込まれ、ＣＰＵ３７により顔領域の切り出し処理が行なわれる（ステップＳ２）。
【００１２】
次に、ＣＰＵ３７は、顔領域が正しく切り出せたか否かを判定し（ステップＳ３）、顔領域が正しく切り出せなかった場合、カメラ位置制御部３３および移動機構３２を介してカメラ３１の位置（高さ）を上方または下方に調整して（ステップＳ４）、ステップＳ１に戻り、再び上記同様な動作を繰り返す。その結果、ステップＳ３にて顔領域が正しく切り出せた場合、ＣＰＵ３７は、その時点におけるカメラ３１の位置（高さ）から当該利用者の身長を推定する（ステップＳ５）。これらの処理が本発明における身長推定手段（第１の身長推定手段）に対応している。
【００１３】
次に、ＣＰＵ３７は、切出した顔領域内の顔情報を入力された画像情報から抽出し、抽出した顔情報を推定した身長情報とともに通信部３５および通信回線２１を介して管理サーバ２０へ送信し、登録する（ステップＳ６）。すなわち、管理サーバ２０内には、たとえば、図４に示すような顔情報テーブルＴ１が設けられていて、この顔情報テーブルＴ１に図示のように登録される。このとき、利用者の氏名やパスワードなどの登録も行なわれる。この処理が本発明における登録手段（第１の登録手段）に対応している。
【００１４】
次に、ＣＰＵ３７は、顔情報および身長情報の登録が成功したか否かを判定し（ステップＳ７）、顔情報および身長情報の登録が成功しなかった場合、ステップＳ１に戻り、再び上記同様な動作を繰り返す。その結果、顔情報および身長情報の登録が成功すれば、処理を終了する。
【００１５】
次に、遊戯施設を利用する際の処理について図５に示すフローチャートを参照して説明する。
利用者は、遊戯施設を利用する際、遊戯施設１３の入口部に設置された顔認証装置１４で顔認証を行なう。すなわち、利用者はカメラ３１の前に対峙することにより、顔画像を入力する（ステップＳ１１）。この処理が本発明における第２の画像取得手段に対応している。カメラ３１で入力された顔画像はビデオキャプチャボード３４により取込まれ、ＣＰＵ３７により顔領域の切り出し処理が行なわれる（ステップＳ１２）。
【００１６】
次に、ＣＰＵ３７は、切出した顔領域内の顔情報を入力された画像情報から抽出し、抽出した顔情報を管理サーバ２０へ送信して照合し、管理サーバ２０から照合結果を得る（ステップＳ１３）。すなわち、管理サーバ２０は、顔認証装置１４から送信された顔情報と顔情報テーブルＴ１に登録されている顔情報とを照合し、その照合結果を顔認証装置１４へ返送するものである。この処理が本発明における照合手段（第１の照合手段）に対応している。
【００１７】
次に、ＣＰＵ３７は、管理サーバ２０からの照合結果が不一致（両顔情報が不一致）の場合（ステップＳ１４）、ステップＳ１１に戻って上記同様な動作を繰り返す。なお、当該照合処理を所定回数繰り返しても照合結果が不一致の場合、ＣＰＵ３７は、当該利用者は入場時の利用者と同一人物でないと判断し、処理を終了する。
【００１８】
管理サーバ２０からの照合結果が一致（両顔情報が一致）の場合、管理サーバ２０からは照合結果とともに当該照合に用いた顔情報と対応して顔情報テーブルＴ１に登録されている身長情報が顔認証装置１４へ送信される。
【００１９】
さて、管理サーバ２０からの照合結果が一致の場合、ＣＰＵ３７は、対象遊戯施設に身長制限があるか否かをチェックする（ステップＳ１５）。この身長制限があるか否かのチェックは、たとえば、２次記憶装置４０にあらかじめ身長制限の有無を示す身長制限有無フラグが記憶されていて、この身長制限有無フラグを参照することにより行なわれる。
【００２０】
ステップＳ１５のチェックの結果、身長制限がある場合、ＣＰＵ３７は、管理サーバ２０から送信された身長情報と２次記憶装置４０にあらかじめ記憶されている制限身長情報とを照合し（ステップＳ１６）、身長制限の条件を満足するか否かをチェックする（ステップＳ１７）。この処理が本発明における判定手段（第１の判定手段）に対応している。
【００２１】
次に、ＣＰＵ３７は、ステップＳ１７のチェックの結果、身長制限の条件を満足しない場合、当該遊戯施設の利用は不可として（ステップＳ１８）、利用不可である旨を警告音や音声、画面表示などで利用者に案内し、身長制限の条件を満足する場合、当該遊戯施設の利用は許可とする（ステップＳ１９）。これらの処理が本発明における利用可否決定手段に対応している。
【００２２】
次に、ＣＰＵ３７は、このときの利用施設名と利用料金とからなる利用情報を管理サーバ２０へ送信し、登録する（ステップＳ２０）。すなわち、管理サーバ２０内には、たとえば、図６に示すような利用情報テーブルＴ２が設けられていて、この利用情報テーブルＴ２に図示のように登録される。この処理が本発明における第２の登録手段に対応している。
【００２３】
なお、ステップＳ１５のチェックの結果、身長制限がない場合、ＣＰＵ３７は、ステップＳ１６，１７，１８をジャンプしてステップＳ１９に進み、上記同様な動作を行なう。
【００２４】
次に、遊園地から退場する前の精算処理について図７に示すフローチャートを参照して説明する。
利用者は、遊園地からの退場前、精算口１５に設置された顔認証装置１６で顔認証を行なう。すなわち、利用者はカメラ３１の前に対峙することにより、顔画像を入力する（ステップＳ２１）。この処理が本発明における第３の画像取得手段に対応している。カメラ３１で入力された顔画像はビデオキャプチャボード３４により取込まれ、ＣＰＵ３７により顔領域の切り出し処理が行なわれる（ステップＳ２２）。
【００２５】
次に、ＣＰＵ３７は、切出した顔領域内の顔情報を入力された画像情報から抽出し、抽出した顔情報を管理サーバ２０へ送信して照合し、管理サーバ２０から照合結果を得る（ステップＳ２３）。すなわち、管理サーバ２０は、顔認証装置１６から送信された顔情報と顔情報テーブルＴ１に登録されている顔情報とを照合し、その照合結果を顔認証装置１６へ返送するものである。この処理が本発明における第２の照合手段に対応している。
【００２６】
次に、ＣＰＵ３７は、管理サーバ２０からの照合結果が不一致（両顔情報が不一致）の場合（ステップＳ２４）、ステップＳ２１に戻って上記同様な動作を繰り返す。なお、当該照合処理を所定回数繰り返しても照合結果が不一致の場合、ＣＰＵ３７は、当該利用者は入場時の利用者と同一人物でないと判断し、処理を終了する。
【００２７】
管理サーバ２０からの照合結果が一致の場合（ステップＳ２４）、ＣＰＵ３７は、管理サーバ２０から利用情報テーブルＴ２内に登録されている当該利用者の利用情報（利用施設名、利用料金）の一覧を取得する（ステップＳ２５）。そして、この取得した利用情報の一覧に基づき合計料金を算出し、この算出した合計料金および利用情報の一覧を表示部３８に表示する（ステップＳ２６）。ここで、利用者は、表示部３８の表示内容を確認したのに基づき、施設利用料金の精算を行なう。これらの処理が本発明における利用料金精算手段に対応している。
【００２８】
施設利用料金の精算が終了すると（ステップＳ２７）、ＣＰＵ３７は、当該精算情報を管理サーバ２０へ送信することにより、管理サーバ２０において、利用情報テーブルＴ２から精算済みの利用情報が削除される（ステップＳ２８）。
【００２９】
次に、遊園地から退場する際の処理について図８に示すフローチャートを参照して説明する。
利用者は、遊園地から退場する際、退場口１７に設置された顔認証装置１８で顔認証を行なう。すなわち、利用者はカメラ３１の前に対峙することにより、顔画像を入力する（ステップＳ３１）。この処理が本発明における第４の画像取得手段に対応している。カメラ３１で入力された顔画像はビデオキャプチャボード３４により取込まれ、ＣＰＵ３７により顔領域の切り出し処理が行なわれる（ステップＳ３２）。
【００３０】
次に、ＣＰＵ３７は、切出した顔領域内の顔情報を入力された画像情報から抽出し、抽出した顔情報を管理サーバ２０へ送信して照合し、管理サーバ２０から照合結果を得る（ステップＳ３３）。すなわち、管理サーバ２０は、顔認証装置１８から送信された顔情報と顔情報テーブルＴ１に登録されている顔情報とを照合し、その照合結果を顔認証装置１８へ返送するものである。この処理が本発明における第３の照合手段に対応している。
【００３１】
次に、ＣＰＵ３７は、管理サーバ２０からの照合結果が不一致（両顔情報が不一致）の場合（ステップＳ３４）、ステップＳ３１に戻って上記同様な動作を繰り返す。なお、当該照合処理を所定回数繰り返しても照合結果が不一致の場合、ＣＰＵ３７は、当該利用者は入場時の利用者と同一人物でないと判断し、処理を終了する。
【００３２】
管理サーバ２０からの照合結果が一致の場合（ステップＳ３４）、ＣＰＵ３７は、管理サーバ２０内の利用情報テーブルＴ２に当該利用者の未清算の利用情報が残っていないかをチェックする（ステップＳ３５）。この処理が本発明における第２の判定手段に対応している。
【００３３】
このチェックの結果、未清算の利用情報が残っていない場合、ＣＰＵ３７は、当該遊戯施設からの退場は許可とし（ステップＳ３６）、管理サーバ２０内の顔情報テーブルＴ１から当該利用者の情報を削除する（ステップＳ３７）。
ステップＳ３５のチェックの結果、未清算の利用情報が残っている場合、ＣＰＵ３７は、当該遊戯施設からの退場は不可として（ステップＳ３８）、退場不可である旨を警告音や音声、画面表示などで利用者に案内する（ステップＳ３９）。これらの処理が本発明における退場可否決定手段に対応している。
【００３４】
次に、遊園地に入場後、遊園地内の施設利用時に利用者の身長推定を行ない、身長による施設の利用制限を行なう場合の動作を説明する。
【００３５】
まず、入場処理について図９に示すフローチャートを参照して説明する。
利用者は、遊園地への入場時、入場口１１に設置された顔認証装置１２で顔認証を行なう。すなわち、利用者はカメラ３１の前に対峙することにより、顔画像を入力する（ステップＳ４１）。この処理が本発明における第１の画像取得手段に対応している。カメラ３１で入力された顔画像はビデオキャプチャボード３４により取込まれ、ＣＰＵ３７により顔領域の切り出し処理が行なわれる（ステップＳ４２）。
【００３６】
次に、ＣＰＵ３７は、切出した顔領域内の顔情報を入力された画像情報から抽出し、抽出した顔情報を管理サーバ２０へ送信し、前述同様に顔情報テーブルＴ１に登録する（ステップＳ４３）。この処理が本発明における登録手段（第１の登録手段）に対応している。
【００３７】
次に、遊戯施設を利用する際の処理について図１０に示すフローチャートを参照して説明する。
利用者は、遊戯施設を利用する際、遊戯施設１３の入口部に設置された顔認証装置１４で身長推定および顔認証を行なう。すなわち、利用者はカメラ３１の前に対峙することにより、顔画像を入力する（ステップＳ５１）。この処理が本発明における第２の画像取得手段に対応している。カメラ３１で入力された顔画像はビデオキャプチャボード３４により取込まれ、ＣＰＵ３７により顔領域の切り出し処理が行なわれる（ステップＳ５２）。
【００３８】
次に、ＣＰＵ３７は、顔領域が正しく切り出せたか否かを判定し（ステップＳ５３）、顔領域が正しく切り出せなかった場合、カメラ位置制御部３３および移動機構３２を介してカメラ３１の位置（高さ）を上方または下方に調整して（ステップＳ５４）、ステップＳ５１に戻り、再び上記同様な動作を繰り返す。その結果、ステップＳ５３にて顔領域が正しく切り出せた場合、ＣＰＵ３７は、その時点におけるカメラ３１の位置（高さ）から当該利用者の身長を推定する（ステップＳ５５）。これらの処理が本発明における身長推定手段に対応している。
【００３９】
次に、ＣＰＵ３７は、切出した顔領域内の顔情報を入力された画像情報から抽出し、抽出した顔情報を管理サーバ２０へ送信して照合し、管理サーバ２０から照合結果を得る（ステップＳ５６）。すなわち、管理サーバ２０は、顔認証装置１４から送信された顔情報と顔情報テーブルＴ１に登録されている顔情報とを照合し、その照合結果を顔認証装置１４へ返送するものである。この処理が本発明における照合手段に対応している。
【００４０】
次に、ＣＰＵ３７は、管理サーバ２０からの照合結果が不一致（両顔情報が不一致）の場合（ステップＳ５７）、ステップＳ５１に戻って上記同様な動作を繰り返す。なお、当該照合処理を所定回数繰り返しても照合結果が不一致の場合、ＣＰＵ３７は、当該利用者は入場時の利用者と同一人物でないと判断し、処理を終了する。
【００４１】
さて、管理サーバ２０からの照合結果が一致の場合、ＣＰＵ３７は、前述同様に、対象遊戯施設に身長制限があるか否かをチェックする（ステップＳ５８）。このチェックの結果、身長制限がある場合、ＣＰＵ３７は、ステップＳ５５で推定した身長情報と２次記憶装置４０にあらかじめ記憶されている制限身長情報とを照合し（ステップＳ５９）、身長制限の条件を満足するか否かをチェックする（ステップＳ６０）。この処理が本発明における判定手段に対応している。
【００４２】
次に、ＣＰＵ３７は、ステップＳ６０のチェックの結果、身長制限の条件を満足しない場合、当該遊戯施設の利用は不可として（ステップＳ６１）、利用不可である旨を警告音や音声、画面表示などで利用者に案内し、身長制限の条件を満足する場合、当該遊戯施設の利用は許可とする（ステップＳ６２）。これらの処理が本発明における利用可否決定手段に対応している。
なお、ステップＳ５８のチェックの結果、身長制限がない場合、ＣＰＵ３７は、ステップＳ６２に進み、当該遊戯施設の利用は許可とする。
【００４３】
次に、遊園地内の施設利用時に利用者の身長推定を行ない、さらに遊園地入場時に登録した身長と一致するかを照合した上で、身長による施設の利用制限を行なう場合の動作を説明する。
まず、入場処理についてであるが、この処理は先に図３で説明した入場処理と同様であるので説明は省略する。
【００４４】
次に、遊戯施設を利用する際の処理について図１１に示すフローチャートを参照して説明する。
利用者は、遊戯施設を利用する際、遊戯施設１３の入口部に設置された顔認証装置１４で身長推定および顔認証を行なう。すなわち、利用者はカメラ３１の前に対峙することにより、顔画像を入力する（ステップＳ７１）。この処理が本発明における第２の画像取得手段に対応している。カメラ３１で入力された顔画像はビデオキャプチャボード３４により取込まれ、ＣＰＵ３７により顔領域の切り出し処理が行なわれる（ステップＳ７２）。
【００４５】
次に、ＣＰＵ３７は、顔領域が正しく切り出せたか否かを判定し（ステップＳ７３）、顔領域が正しく切り出せなかった場合、カメラ位置制御部３３および移動機構３２を介してカメラ３１の位置（高さ）を上方または下方に調整して（ステップＳ７４）、ステップＳ７１に戻り、再び上記同様な動作を繰り返す。その結果、ステップＳ７３にて顔領域が正しく切り出せた場合、ＣＰＵ３７は、その時点におけるカメラ３１の位置（高さ）から当該利用者の身長を推定する（ステップＳ７５）。これらの処理が本発明における第２の身長推定手段に対応している。
【００４６】
次に、ＣＰＵ３７は、切出した顔領域内の顔情報を入力された画像情報から抽出し、抽出した顔情報を管理サーバ２０へ送信して照合し、管理サーバ２０から照合結果を得る（ステップＳ７６）。すなわち、管理サーバ２０は、顔認証装置１４から送信された顔情報と顔情報テーブルＴ１に登録されている顔情報とを照合し、その照合結果を顔認証装置１４へ返送するものである。この処理が本発明における第１の照合手段に対応している。
【００４７】
次に、ＣＰＵ３７は、管理サーバ２０からの照合結果が不一致（両顔情報が不一致）の場合（ステップＳ７７）、ステップＳ７１に戻って上記同様な動作を繰り返す。なお、当該照合処理を所定回数繰り返しても照合結果が不一致の場合、ＣＰＵ３７は、当該利用者は入場時の利用者と同一人物でないと判断し、処理を終了する。
【００４８】
管理サーバ２０からの照合結果が一致（両顔情報が一致）の場合、管理サーバ２０からは照合結果とともに当該照合に用いた顔情報と対応して顔情報テーブルＴ１に登録されている身長情報が顔認証装置１４へ送信される。
【００４９】
さて、管理サーバ２０からの照合結果が一致の場合、ＣＰＵ３７は、管理サーバ２０から送信された身長情報とステップＳ７５で推定した身長情報とを照合し（ステップＳ７８）、所定の一定の誤差を許容した上で、両身長情報が一致するか否かをチェックする（ステップＳ７９）。この処理が本発明における第２の照合手段に対応している。
【００５０】
ステップＳ７９のチェックの結果、両身長情報が一致した場合、ＣＰＵ３７は、前述同様に、対象遊戯施設に身長制限があるか否かをチェックする（ステップＳ８０）。このチェックの結果、身長制限がある場合、ＣＰＵ３７は、ステップＳ７５で推定した身長情報と２次記憶装置４０にあらかじめ記憶されている制限身長情報とを照合し（ステップＳ８１）、身長制限の条件を満足するか否かをチェックする（ステップＳ８２）。この処理が本発明における判定手段に対応している。
【００５１】
次に、ＣＰＵ３７は、ステップＳ７９のチェックの結果、両身長情報が一致しなかった場合、あるいは、ステップＳ８２のチェックの結果、身長制限の条件を満足しない場合、当該遊戯施設の利用は不可として（ステップＳ８３）、利用不可である旨を警告音や音声、画面表示などで利用者に案内し、身長制限の条件を満足する場合、当該遊戯施設の利用は許可とする（ステップＳ８４）。これらの処理が本発明における利用可否決定手段に対応している。
なお、ステップＳ８０のチェックの結果、身長制限がない場合、ＣＰＵ３７は、ステップＳ８４に進み、当該遊戯施設の利用は許可とする。
【００５２】
次に、遊園地内での施設利用料金の精算時に顔認証とともに利用者の身長推定を行ない、遊園地入場時に登録した身長と照合する場合の動作を説明する。
まず、入場処理についてであるが、この処理は先に図３で説明した入場処理と同様であるので説明は省略する。また、遊戯施設を利用する際の処理は先に図５で説明した処理と同様であるので説明は省略する。
【００５３】
次に、遊園地から退場する前の精算処理について図１２に示すフローチャートを参照して説明する。
利用者は、遊園地からの退場前、精算口１５に設置された顔認証装置１６で身長推定および顔認証を行なう。すなわち、利用者はカメラ３１の前に対峙することにより、顔画像を入力する（ステップＳ９１）。この処理が本発明における第３の画像取得手段に対応している。カメラ３１で入力された顔画像はビデオキャプチャボード３４により取込まれ、ＣＰＵ３７により顔領域の切り出し処理が行なわれる（ステップＳ９２）。
【００５４】
次に、ＣＰＵ３７は、顔領域が正しく切り出せたか否かを判定し（ステップＳ９３）、顔領域が正しく切り出せなかった場合、カメラ位置制御部３３および移動機構３２を介してカメラ３１の位置（高さ）を上方または下方に調整して（ステップＳ９４）、ステップＳ７１に戻り、再び上記同様な動作を繰り返す。その結果、ステップＳ７３にて顔領域が正しく切り出せた場合、ＣＰＵ３７は、その時点におけるカメラ３１の位置（高さ）から当該利用者の身長を推定する（ステップＳ９５）。これらの処理が本発明における第２の身長推定手段に対応している。
【００５５】
次に、ＣＰＵ３７は、切出した顔領域内の顔情報を入力された画像情報から抽出し、抽出した顔情報を管理サーバ２０へ送信して照合し、管理サーバ２０から照合結果を得る（ステップＳ９６）。すなわち、管理サーバ２０は、顔認証装置１６から送信された顔情報と顔情報テーブルＴ１に登録されている顔情報とを照合し、その照合結果を顔認証装置１６へ返送するものである。この処理が本発明における第２の照合手段に対応している。
【００５６】
次に、ＣＰＵ３７は、管理サーバ２０からの照合結果が不一致（両顔情報が不一致）の場合（ステップＳ９７）、ステップＳ９１に戻って上記同様な動作を繰り返す。なお、当該照合処理を所定回数繰り返しても照合結果が不一致の場合、ＣＰＵ３７は、当該利用者は入場時の利用者と同一人物でないと判断し、処理を終了する。
【００５７】
管理サーバ２０からの照合結果が一致（両顔情報が一致）の場合、管理サーバ２０からは照合結果とともに当該照合に用いた顔情報と対応して顔情報テーブルＴ１に登録されている身長情報が顔認証装置１６へ送信される。
【００５８】
さて、管理サーバ２０からの照合結果が一致の場合、ＣＰＵ３７は、管理サーバ２０から送信された身長情報とステップＳ９５で推定した身長情報とを照合し（ステップＳ９８）、所定の一定の誤差を許容した上で、両身長情報が一致するか否かをチェックする（ステップＳ９９）。この処理が本発明における第３の照合手段に対応している。
【００５９】
ステップＳ９９のチェックの結果、両身長情報が一致した場合、ＣＰＵ３７は、管理サーバ２０から利用情報テーブルＴ２内に登録されている当該利用者の利用情報（利用施設名、利用料金）の一覧を取得する（ステップＳ１００）。そして、この取得した利用情報の一覧に基づき合計料金を算出し、この算出した合計料金および利用情報の一覧を表示部３８に表示する（ステップＳ１０１）。ここで、利用者は、表示部３８の表示内容を確認したのに基づき、施設利用料金の精算を行なう。これらの処理が本発明における利用料金精算手段に対応している。
【００６０】
施設利用料金の精算が終了すると（ステップＳ１０２）、ＣＰＵ３７は、当該精算情報を管理サーバ２０へ送信することにより、管理サーバ２０において、利用情報テーブルＴ２から精算済みの利用情報が削除される（ステップＳ１０３）。
【００６１】
なお、ステップＳ９９のチェックの結果、両身長情報が一致しなかった場合、ＣＰＵ３７は、当該利用者は入場時の利用者と同一人物でないと判断し、精算処理を終了する。
【００６２】
次に、遊園地からの退場時に顔認証とともに利用者の身長推定を行ない、遊園地入場時に登録した身長と照合する場合の動作を説明する。
まず、入場処理についてであるが、この処理は先に図３で説明した入場処理と同様であるので説明は省略する。また、遊戯施設を利用する際の処理は先に図５で説明した処理と同様であるので説明は省略する。さらに、遊園地から退場する前の精算処理は先に図７で説明した処理と同様であるので説明は省略する。
【００６３】
次に、遊園地から退場する際の処理について図１３に示すフローチャートを参照して説明する。
利用者は、遊園地から退場する際、退場口１７に設置された顔認証装置１８で身長推定および顔認証を行なう。すなわち、利用者はカメラ３１の前に対峙することにより、顔画像を入力する（ステップＳ１１１）。この処理が本発明における第４の画像取得手段に対応している。カメラ３１で入力された顔画像はビデオキャプチャボード３４により取込まれ、ＣＰＵ３７により顔領域の切り出し処理が行なわれる（ステップＳ１１２）。
【００６４】
次に、ＣＰＵ３７は、顔領域が正しく切り出せたか否かを判定し（ステップＳ１１３）、顔領域が正しく切り出せなかった場合、カメラ位置制御部３３および移動機構３２を介してカメラ３１の位置（高さ）を上方または下方に調整して（ステップＳ１１４）、ステップＳ１１１に戻り、再び上記同様な動作を繰り返す。その結果、ステップＳ１１３にて顔領域が正しく切り出せた場合、ＣＰＵ３７は、その時点におけるカメラ３１の位置（高さ）から当該利用者の身長を推定する（ステップＳ１１５）。これらの処理が本発明における第２の身長推定手段に対応している。
【００６５】
次に、ＣＰＵ３７は、切出した顔領域内の顔情報を入力された画像情報から抽出し、抽出した顔情報を管理サーバ２０へ送信して照合し、管理サーバ２０から照合結果を得る（ステップＳ１１６）。すなわち、管理サーバ２０は、顔認証装置１８から送信された顔情報と顔情報テーブルＴ１に登録されている顔情報とを照合し、その照合結果を顔認証装置１８へ返送するものである。この処理が本発明における第３の照合手段に対応している。
【００６６】
次に、ＣＰＵ３７は、管理サーバ２０からの照合結果が不一致（両顔情報が不一致）の場合（ステップＳ１１７）、ステップＳ１１１に戻って上記同様な動作を繰り返す。なお、当該照合処理を所定回数繰り返しても照合結果が不一致の場合、ＣＰＵ３７は、当該利用者は入場時の利用者と同一人物でないと判断し、処理を終了する。
【００６７】
管理サーバ２０からの照合結果が一致（両顔情報が一致）の場合、管理サーバ２０からは照合結果とともに当該照合に用いた顔情報と対応して顔情報テーブルＴ１に登録されている身長情報が顔認証装置１６へ送信される。
【００６８】
さて、管理サーバ２０からの照合結果が一致の場合、ＣＰＵ３７は、管理サーバ２０から送信された身長情報とステップＳ１１５で推定した身長情報とを照合し（ステップＳ１１８）、所定の一定の誤差を許容した上で、両身長情報が一致するか否かをチェックする（ステップＳ１１９）。この処理が本発明における第４の照合手段に対応している。
【００６９】
ステップＳ１１９のチェックの結果、両身長情報が一致した場合、ＣＰＵ３７は、管理サーバ２０内の利用情報テーブルＴ２に当該利用者の未清算の利用情報が残っていないかをチェックする（ステップＳ１２０）。この処理が本発明における第２の判定手段に対応している。
【００７０】
ステップＳ１２０のチェックの結果、未清算の利用情報が残っていない場合、ＣＰＵ３７は、当該遊戯施設からの退場は許可とし（ステップＳ１２１）、管理サーバ２０内の顔情報テーブルＴ１から当該利用者の情報を削除する（ステップＳ１２２）。
【００７１】
ステップＳ１１９のチェックの結果、両身長情報が一致しなかった場合、あるいは、ステップＳ１２０のチェックの結果、未清算の利用情報が残っている場合、ＣＰＵ３７は、当該遊戯施設からの退場は不可として（ステップＳ１２３）、退場不可である旨を警告音や音声、画面表示などで利用者に案内する（ステップＳ１２４）。これらの処理が本発明における退場可否決定手段に対応している。
【００７２】
以上説明したように、上記実施の形態によれば、利用者の身長推定を自動的に行なうことにより、身長制限が必要な遊戯施設利用の自動化が可能となる。また、遊園地のような閉じた空間での施設利用の精算処理を、顔認証あるいは更に身長推定をも加えることにより自動化が可能となる。さらに、利用者は遊戯施設を利用するごとに利用料金を支払うのではなく、退場時にまとめて支払うことが可能となり、極めて利便性に優れている。
【００７３】
なお、前記実施の形態では、顔認証技術を利用して利用者の身長を推定する場合について説明したが、本発明はこれに限定されるものではなく、たとえば、特願２００２−１１６３８９号に開示されているように、複数の身長推定用のセンサを設けることにより身長推定を行なってもよく、さらには他の方法を用いて身長推定を行なってもよい。
【００７４】
また、前記実施の形態では、入場した利用者が利用料金を支払って利用する身長制限のある遊戯施設を有する遊園地への入退場や当該遊園地内における遊戯施設利用の管理等を行なう入退場等管理システムに適用した場合について説明したが、本発明はこれに限定されるものではなく、要は、入場した利用者が利用料金を支払って利用する身長制限のある施設を有するエリアへの入退場や当該エリア内における施設利用の管理等を行なう入退場等管理システムであれば適用可能である。
【００７５】
【発明の効果】
以上詳述したように本発明によれば、身長制限が必要な施設利用の自動化が可能となり、かつ、閉じた空間での施設利用料金の精算処理を自動化することができ、利用者は退場時にまとめて精算が可能となる入退場等管理システムを提供できる。
【図面の簡単な説明】
【図１】本発明の実施の形態に係る入退場等管理システムの構成を概略的に示すブロック図。
【図２】顔認証装置の構成を概略的に示すブロック図。
【図３】入場時の処理を説明するフローチャート。
【図４】管理サーバ内の顔情報テーブルの構成を示す図。
【図５】遊戯施設利用時の処理を説明するフローチャート。
【図６】管理サーバ内の利用情報テーブルの構成を示す図。
【図７】精算時の処理を説明するフローチャート。
【図８】退場時の処理を説明するフローチャート。
【図９】入場時の処理を説明するフローチャート。
【図１０】遊戯施設利用時の処理を説明するフローチャート。
【図１１】遊戯施設利用時の処理を説明するフローチャート。
【図１２】精算時の処理を説明するフローチャート。
【図１３】退場時の処理を説明するフローチャート。
【符号の説明】
１１…遊園地の入場口（入場部）、１２…顔認証装置、１３…遊戯施設、１４…顔認証装置、１５…遊園地内の精算口１５、１６…顔認証装置、１７…遊園地の退場口（退場部）、１８…顔認証装置、１９…管理センタ、２０…管理サーバ、２１…通信回線、３１…ビデオカメラ（画像取得手段）、３２…移動機構、３３…カメラ位置制御部、３４…ビデオキャプチャボード、３５…通信部、３６…記憶部、３７…ＣＰＵ、４０…表示部、３９…入力部、４０…２次記憶装置。
【図１】
2004348571.tif 000003
【図２】
2004348571.tif 000004
【図３】
2004348571.tif 000005
【図４】
2004348571.tif 000006
【図５】
2004348571.tif 000007
【図６】
2004348571.tif 000008
【図７】
2004348571.tif 000009
【図８】
2004348571.tif 000010
【図９】
2004348571.tif 000011
【図１０】
2004348571.tif 000012
【図１１】
2004348571.tif 000013
【図１２】
2004348571.tif 000014
【図１３】
2004348571.tif 000015